(57)【要約】      （修正有）【課題】縫製作業に依ることなく編成工程だけで形成することができ、使用時の押圧感（コシ）や摩擦感に優れ、泡立ちの効果の大きい、ギャザーを有するフリル付のタオルを提供する。【解決手段】タオル本体２となる経編基布２０とフリル３となる経編布片３０とを同時に編成するとともに、各経編布片３０の一側縁９においてフリル止着用のゴム繊維１０を編み込み、このゴム繊維１０の収縮力によりフリル３にギャザー４を形成する。【選択図】図１
2014217525.tif 000002
【特許請求の範囲】
【請求項１】
ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて、タオル本体となる経編基布が編成されるとともに、ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて、フリルとなる細幅の経編布片が複数編成され、且つ、それら各経編布片の一側縁において、ウエール方向に延びるゴム繊維よりなる１列又は複数列のフリル止着用鎖編目列が配設され、このフリル止着用鎖編目列により各フリルの一側縁がそれぞれ前記経編基布に止着された状態で前記経編基布と前記各経編布片とが一体的に編成されたことを特徴とするフリル付タオル。
【発明の詳細な説明】
【技術分野】
【０００１】
本発明は、フリルの付いたタオルに関する。
【背景技術】
【０００２】
フリルのついたタオルは、身体洗浄時に泡立ち性に優れ肌触りが良いことから浴用タオルとして適しており、これまで種々提案されている。例えば、特許文献１には、長方形状の布地において、長手方向に直角方向（上下方向）に布地をＳ字状に折り畳んで布地の両面に折り山を形成し、折り重なった部分のほぼ中心を上下方向にギャザーをよせ、または細めの帯状の布地を挟んでギャザーをよせ（又は弾性体を入れて）縫い合わせて、上記折り山が布地の両面にフリル状の襞を布地の長手方向に近接して又は適宜間隔をあけて複数個所設けたタオルが提案されている。このタオルにあっては、身体洗浄時抵抗があり、薄い布地でも襞の腰が強く肌を押し付ける感触が得られ、押圧感（コシ）、摩擦感があり、洗い心地がよく、また、凹凸が多いので繰り返し左右に引っ張ることで摩擦効果を高め、泡立ちが増す効果がある、とされている。
【０００３】
また、特許文献２には、タオル本体の両側縁部及び両端縁部全体に、外周縁部がタオル本体の外周縁から外方に突出するように両側縁及び両端縁外周フリルを設けたボディータオルにおいて、前記フリルを、タオル本体の表裏に設けたボディータオルが提案されている。このボディータオルにあっては、フリルをタオル本体の表裏両面に設けているので、十分なボリュームがあり、泡立ちも良好であって、表裏両面において、垢摺用のみならず身体洗浄用のボディータオルとして、十分な効果が得られる、とされている。
【０００４】
また、特許文献３には、一定の幅方向の列をコースとし、その幅方向と直交する方向の列をウェールとして編まれるタオル本体を有し、そのタオル本体の表裏両側のうちの少なくとも片側に、タオル本体から突出したフリルが、編まれることで形成されているタオルが提案されている。このタオルにあっては、フリルが、タオル本体を編んで形成するときに同時に編むことで形成され、フリルとタオル本体とが一体的に編まれているので、フリルの基端側がタオル本体に編み込まれて表面に表れずに見栄えがよく、しかもフリルを縫い付ける必要がないので、糸解けによるフリルの消失が起こり難いものになる、とされている。
【先行技術文献】
【特許文献】
【０００５】
【特許文献１】特開２０１２−１５２５２８号公報
【特許文献２】実用新案登録第３１２３１６６号公報
【特許文献３】特開２００７−９７８８２号公報
【発明の概要】
【発明が解決しようとする課題】
【０００６】
特許文献１に開示されたタオルにあっては、布地をＳ字状に折り畳んで布地の両面に折り山を形成し、折り重なった部分のほぼ中心を上下方向にギャザーを寄せた状態としてこの部分を縫い合わせることによりフリルを形成しているが、その縫製作業はいたって煩瑣であるため、自ずと生産効率が低くならざるを得ず、また、使用を重ねるうちに上記縫い合わせ部分の糸解けが生じる虞が多分にあり、糸解けが生じるとフリルが消失してしまい、フリル付タオルの体をなさなくなるといった不都合があった。
【０００７】
また、特許文献２に開示されたボディータオルにあっても、フリルをタオル本体に縫着により設けるものであるため、特許文献１のタオルと同様の不都合があった。
【０００８】
一方、特許文献３に開示されたタオルにあっては、フリルをタオル本体に縫着するのではなく、タオル本体を編んで形成するときにフリルを同時に編んでいるため、特許文献１や特許文献２における上記したような不都合はない。しかしながら、フリルは単にタオル本体と同時に編むことで形成していることから、フリルに、特許文献１や特許文献２のタオルでは形成し得たギャザーが無いため、使用時に押圧感（コシ）や摩擦感に乏しく、また、泡立ちの効果がさして得られないといった不都合があった。
【０００９】
本発明は、係る点に鑑みて創案されたものであり、その目的とするところは、縫製作業に依ることなく編成工程だけで形成することができ、使用時の押圧感（コシ）や摩擦感に優れ、泡立ちの効果の大きい、ギャザーを有するフリル付のタオルを提供することを目的とする。
【課題を解決するための手段】
【００１０】
上記した目的を達成するため、本発明に係るフリル付タオルは、ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて、タオル本体となる経編基布が編成されるとともに、ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて、フリルとなる細幅の経編布片が複数編成され、且つ、それら各経編布片の一側縁において、ウエール方向に延びるゴム繊維よりなる１列又は複数列のフリル止着用鎖編目列が配設され、このフリル止着用鎖編目列により各フリルの一側縁がそれぞれ前記経編基布に止着された状態で前記経編基布と前記各経編布片とが一体的に編成されたことを特徴とするものである。
【００１１】
このような特定事項によれば、フリル及びタオル本体の編成と、タオル本体とフリルとの一体化とが同時に行い得るとともに、フリルの一側縁をタオル本体に止着するフリル止着用鎖編目列がゴム繊維よりなることから、このゴム繊維によりフリルのギャザーもタオル本体とフリルの編成と同時に形成されるため、ギャザーを有するフリル付のタオルの製作にあたり、縫製作業を廃し、編成工程だけとすることができる。また、縫製作業が不要であるから、従来技術でみられたような、使用を重ねるうちにフリルとタオル本体との縫合部分の糸解けが生じる、といった虞が全くない。しかも、フリルはギャザーを有しているため、使用時の押圧感（コシ）や摩擦感に優れ、泡立ちの効果が高いものとなる。
【発明の効果】
【００１２】
本発明によれば、縫製作業に依ることなく編成工程だけで形成することができ、使用時の押圧感（コシ）や摩擦感に優れ、泡立ちの効果の大きい、ギャザーを有するフリル付のタオルを提供することができる。
【図面の簡単な説明】
【００１３】
【図１】図１は、本発明に係るフリル付タオルの一実施形態を示す斜視図である。
【図２】図２は、図１に示すフリル付タオルの部分組織図であり、フリル１枚分に相当する領域のみを示している。
【図３】図３は、図１に示すフリル付タオルの経編基布の鎖編目列を示す組織分解図であり、フリル１枚分に相当する領域のみを示している。
【図４】図４は、図１に示すフリル付タオルの経編基布の緯挿入糸を示す組織分解図であり、フリル１枚分に相当する領域のみを示している。
【図５】図５は、図１に示すフリル付タオルの経編布片の鎖編目列を示す組織分解図であり、フリル１枚分に相当する領域のみを示している。
【図６】図６は、図１に示すフリル付タオルの経編布片の緯挿入糸を示す組織分解図であり、フリル１枚分に相当する領域のみを示している。
【図７】図７は、図１に示すフリル付タオルの経編基布に経編布片を止着するフリル止着用鎖編目列を示す組織分解図であり、フリル１枚分に相当する領域のみを示している。
【発明を実施するための形態】
【００１４】
以下、本発明に係るフリル付タオルの一実施形態について、図面を参照して説明する。
【００１５】
図１〜図７に本発明の一実施形態を示す。図１は、本実施形態に係るフリル付タオルを示す斜視図、図２は、その部分組織図、図３は、フリル付タオルの経編基布の鎖編目列を示す組織分解図、図４は、その経編基布の緯挿入糸を示す組織分解図、図５は、フリル付タオルの経編布片の鎖編目列を示す組織分解図、図６は、その経編布片の緯挿入糸を示す組織分解図、図７は、フリル付タオルの経編基布に経編布片を止着するフリル止着用鎖編目列を示す組織分解図である。なお、図２〜図７は、フリル１枚分に相当する領域のみを示している。
【００１６】
このフリル付タオル１は、図１に示すように、タオル本体２の一面に複数枚（図示例では１７枚）のフリル３…がタオル本体２と一体的に編成されるとともに、各フリル３にそれぞれギャザー４が形成されたものであって、このような形態により、浴用タオルとして使用した場合、使用時の押圧感（コシ）や摩擦感に優れ、泡立ちの効果の大きいものとなっている。
【００１７】
具体的には、フリル付タオル１は、ウエール方向に並列して延びる合成繊維よりなる鎖編目列５（図２及び図３参照）に対して、コース方向に１列離れた鎖編目列５との間にわたり、合成繊維よりなる緯挿入糸６がジグザグ状に折り返し挿入されて（図２及び図４参照）、タオル本体２となる経編基布２０が編成されるとともに、ウエール方向に並列して延びる合成繊維よりなる鎖編目列７（図２及び図５参照）に対して、コース方向に１列離れた鎖編目列７との間にわたり、合成繊維よりなる緯挿入糸８がジグザグ状に折り返し挿入されて（図２及び図６参照）、フリル３となる細幅の経編布片３０が複数（図示例では１７枚）編成され、且つ、それら各経編布片３０の一側縁９において、ウエール方向に延びるゴム繊維よりなる２列のフリル止着用鎖編目列１０、１０が配設され（図２及び図７参照）、このフリル止着用鎖編目列１０、１０により各フリル３の一側縁９がそれぞれ経編基布２０に止着された状態で経編基布２０と各経編布片３０とが一体的に編成されたものである（図２参照）。生産過程では、例えばラッセル編み機により、図１において示す矢符Ｘの方向にフリル付タオル１の原反が編成されていくので、この原反をその幅方向（矢符Ｘの方向と直交する方向）に裁断するとともに、裁断した縁をかがり縫い１１し、これによってフリル付タオル１が得られる。そして各フリル３には、上記フリル止着用鎖編目列１０、１０のゴム繊維の収縮力によってギャザー４が形成される。
【００１８】
上記タオル本体２及びフリル３の各鎖編目列５、７を構成する地糸並びに上記各緯挿入糸６、８としては、例えば、ポリエステル繊維糸又はナイロン繊維糸を採用することができるが、身体洗浄用に適した繊維であればそれら例示したものに限らない。なお、上記実施形態では、各緯挿入糸６、８は、それぞれコース方向に１列離れた鎖編目列５、７との間にわたり挿入されているが、コース方向に複数列離れた鎖編目列５、７との間にわたり挿入されていてもよい。
【００１９】
本実施形態では、フリル３同士が隣接するようにしているが、これに限らず、フリル３は相互に適宜の間隔をあけて設けてもよい。また、フリル３はタオル本体２の一方の面だけに限らず、タオル本体２の両面に設けてもよい。その場合、タオル本体２を挟んでフリル３が互い違いになるように、あるいは、タオル本体２を挟んで対称になるように設けてもよい。
【００２０】
以上説明したように、上記のフリル付タオル１は、フリル３及びタオル本体２の編成と、タオル本体２とフリル３との一体化とが同時に行い得るとともに、フリル３の一側縁９をタオル本体２に止着するフリル止着用鎖編目列１０がゴム繊維よりなることから、このゴム繊維によりフリル３のギャザー４もタオル本体２とフリル３の編成と同時に形成されるため、ギャザー４を有するフリル付のタオル１の製作にあたり、縫製作業を廃し、編成工程だけとすることができる。また、縫製作業が不要であるから、従来技術でみられたような、使用を重ねるうちにフリルとタオル本体との縫合部分の糸解けが生じる、といった虞が全くない。しかも、フリル３はギャザーを有しているため、使用時の押圧感（コシ）や摩擦感に優れ、泡立ちの効果が高いものとなる。
【符号の説明】
【００２１】
１  フリル付タオル
２  タオル本体
３  フリル
４  ギャザー
５  鎖編目列（タオル本体側）
６  緯挿入糸（タオル本体側）
７  鎖編目列（フリル側）
８  緯挿入糸（フリル側）
９  一側縁
１０  フリル止着用鎖編目列（ゴム繊維）
２０  経編基布（タオル本体）
３０  経編布片（フリル）
【図１】
2014217525.tif 000003
【図２】
2014217525.tif 000004
【図３】
2014217525.tif 000005
【図４】
2014217525.tif 000006
【図５】
2014217525.tif 000007
【図６】
2014217525.tif 000008
【図７】
2014217525.tif 000009